(57)【要約】【課題】既存の窓装置に後付け可能であると共に、外部からのこじ開けに有効に対抗することができ、かつ、複数枚の障子を備えた窓装置において、一度の操作で複数の障子を同時に施錠することができるロック装置を提供する。【解決手段】窓開口部を形成する窓枠１と、窓枠１に設けられ、窓開口部を開閉する複数の障子２と、からなる窓装置において、複数の障子２は、上下に連設されており、各障子２には、同一鉛直線上に位置させて係合受片６５が設けてあり、窓開口部の屋内側には、上下に所定の間隔を存して複数の係合部６６０Ａ，６６０Ｂが形成された上下動自在のスライドバー６６が設けてあり、スライドバー６６の上下動によって、各障子２の係合受片６５に、スライドバー６６の各係合部６６０Ａ，６６０Ｂが同時に係合する。【選択図】図４
2007063825.tif 000002
【特許請求の範囲】
【請求項１】
窓開口部を形成する窓枠と、
窓枠に設けられ、窓開口部を開閉する複数の障子と、
からなる窓装置において、
前記複数の障子は、上下あるいは左右に連設されており、
各障子には、同一の鉛直線あるいは水平線上に位置させて係合受片が設けてあり、
窓開口部の屋内側には、鉛直方向あるいは水平方向に所定の間隔を存して複数の係合部が形成された鉛直方向あるいは水平方向に移動自在のスライドバーが設けてあり、
スライドバーの鉛直方向あるいは水平方向の移動によって、各障子の係合受片に、スライドバーの各係合部が同時に係合するように構成された窓装置のロック装置。
【請求項２】
前記窓装置は、障子の屋内側に設けた網戸を有し、前記スライドバーは網戸の框に対して移動自在に設けられる、請求項１に記載のロック装置。
【発明の詳細な説明】
【技術分野】
【０００１】
本発明は、窓装置のロック装置に係り、詳しくは、複数の障子を備えた窓装置のロック装置に関するものである。
【背景技術】
【０００２】
複数の障子を備えた窓装置がある。例えば、特許文献１には、複数の障子を備えたすべり出し窓が記載されている。すべり出し窓は、窓枠と、窓枠に回動可能に設けられ、かつ回動支点が上下方向にスライド自在の複数の障子と、窓枠の竪枠に沿って上下方向に移動自在に設けられた開閉操作バーとを備えている。各障子に設けた係合ピンが開閉操作バーと係合することによって、開閉操作バーの上下動により各障子の回動支点が上下方向にスライドしながら、各障子が同時に回動するように構成されている。
【０００３】
障子の側縁部の下端部には係合部材が設けられ、開閉操作バーには係合部材に係合可能なフックが揺動自在に設けられ、フックと窓枠との間には、フックに設けられたカムフォロワと、窓枠に設けられたカムとからなるロック手段が設けられている。
【０００４】
最近では、バール等で窓枠をこじ開けて、窓開口部から室内に侵入を試みようとする犯罪が増加しており、窓装置に、より一層の防犯機能が必要であり、多重のロック装置を設けることが要求されている。したがって、既存の窓装置に対しても後付け可能なロック装置が要望されている。一方、複数の障子を有する窓装置において、各障子ごとにロック装置を後付けするのでは、各障子ごとに施錠操作、解錠操作を行う必要があり、手間がかかる。
【特許文献１】実用新案登録第２５６９０６２号
【発明の開示】
【発明が解決しようとする課題】
【０００５】
本発明は、既存の窓装置に後付け可能であると共に、外部からのこじ開けに有効に対抗することができ、かつ、複数枚の障子を備えた窓装置において、一度の操作で複数の障子を同時に施錠することができるロック装置を提供することを目的とする。
【課題を解決するための手段】
【０００６】
かかる課題を達成するために本発明が採用したロック装置は、窓開口部を形成する窓枠と、窓枠に設けられ、窓開口部を開閉する複数の障子と、からなる窓装置において、前記複数の障子は、上下あるいは左右に連設されており、各障子には、同一の鉛直線あるいは水平線上に位置させて係合受片が設けてあり、窓開口部の屋内側には、鉛直方向あるいは水平方向に所定の間隔を存して複数の係合部が形成された鉛直方向あるいは水平方向に移動自在のスライドバーが設けてあり、スライドバーの鉛直方向あるいは水平方向の移動によって、各障子の係合受片に、スライドバーの各係合部が同時に係合するように構成されている。好ましくは、スライドバーは、操作レバーの操作によって鉛直方向あるいは水平方向に移動自在となっており、操作レバーによる一度の操作によって、複数の障子を施錠状態と解錠状態とに切り替えるようになっている。
【０００７】
一つの態様では、前記窓装置は、障子の屋内側に設けた網戸を有し、前記スライドバーは網戸の框に対して鉛直方向あるいは水平方向に移動自在に設けられる。他の態様では、前記スライドバーは窓枠の竪枠に対して移動自在に設けられる。
【０００８】
一つの態様では、前記窓装置は、上端部を回動支点として前後方向に回動すると共に、回動支点が上下に移動するように窓枠に取り付けられた複数枚の障子を備えたすべり出し窓である。さらなる態様では、前記回動支点は、左右の竪枠に設けた上下動自在の開閉操作バーを介して上下に移動するものであり、開閉操作バーの下端部には、開閉操作バーを上下動させる作動機構が設けてある。
【発明の効果】
【０００９】
（１）本発明に係るロック装置は、窓開口部の屋内側に設けてあるので、外部からのこじ開けに有効に対抗することができる。
（２）複数の障子を備えた窓装置において、所定間隔を存して複数の係合部が形成されているスライドバーを移動させるというワンタッチ操作で、すべての障子を同時に施錠状態、解錠状態に切り替えることができる。
（３）本発明に係るロック装置は、障子の框や、枠体に対してそれぞれ後付けすることができるので、既存の窓装置に対しても本発明のロック装置を適用することができる。
【発明を実施するための最良の形態】
【００１０】
［Ａ］窓装置の基本構成
図１に示すように、窓装置は、窓枠１と、窓枠１によって形成された窓開口部を開閉する複数枚（図１では２枚を例示）の障子２とから構成されている。窓枠１は、左右の竪枠３ａ，３ｂ、上枠４、下枠５から構成されている。障子２は、上框２００、左右の竪框２０１，２０２、下框２０３、ガラス窓部２０４から構成されている。
【００１１】
図２に示すように、左右の竪枠３ａ，３ｂは、それぞれ、屋外側に面する屋外側面部３０と、屋外側面部３０に対して直交状に延出する側面部３１と、側面部３１に対向して延出する側面部３２と、両側面部３１，３２を連結する屋内側面部３３とを有している。図面から明らかなように、側面部３１は側面部３２よりも大きい見込寸法を有している。
【００１２】
図３、図４に示すように、上枠４は、屋外側面部４０と屋内側面部４１を有し、閉位置にある障子２の上框２００は、両面部４０，４１間に位置する。図３、図４に示すように、下枠５は、水平状の上面部５０と、上面部５０の屋内側端部より下方に延出する屋内側面部５１と、屋内側面部５１の下端より、屋外側へ向かって緩やかに下向き傾斜状に延出する下面部５２とを有している。
【００１３】
図２に示すように、窓開口部には、障子２の屋内側に位置して網戸６０が設けてある。上枠４、下枠５、竪枠３の屋外側部位には障子２が位置し、上枠４、下枠５、竪枠３の屋内側部位には網戸６０が位置している。網戸６０の上框６１、竪框６２、６３、下框６４は、上枠４、下枠５に、竪枠３にそれぞれに設けた突片４２，５３，３４を介して装着されている。障子２の屋内側に位置する見付面（上框２００の屋内側見付面２００Ａ、竪框２０１，２０２の屋内側見付面２０１Ａ，２０２Ａ、下框２０３の屋内側見付面２０３Ａ）と網戸６０の屋外側に位置する見付面（上框６１の屋外側見付面６１Ａ、竪框６２、６３の屋外側見付面６２Ａ、６３Ａ、下框６４の屋外側見付面６４Ａ）との間には、空間が形成されている。
【００１４】
［Ｂ］窓装置のロック装置
図２に示すように、一方の竪枠には、障子２によって窓開口部を開閉するため操作ハンドル１５が設けてあり、操作ハンドル１５とは反対側に位置してロック装置が設けられている。ロック装置は、障子２に設けた係合受片６５と、係合部６６０Ａ，６６０Ｂが形成されたスライドバー６６とからなる。スライドバー６６は、鉛直方向に延出しており、網戸６０の框に上下動可能（鉛直方向に移動可能）に装着されている。係合受片６５は、同一の鉛直線上に位置させて障子２に設けてある。係合部６６０Ａ，６６０Ｂは、スライドバー６６の鉛直方向の移動によって、係合受片６５に同時に係脱可能なように鉛直方向に所定の間隔を存してスライドバー６６に設けてある。
【００１５】
各障子２の下框２０３の屋内側見付面２０３Ａには、幅方向一方の端部に位置して、係合受片６５が形成されている。係合受片６５は、垂直部６５０と水平部６５１とからなる側面視Ｌ形状の係合部と係合部に一体的に形成された装着部６５２とを有し、装着部６５２を介して障子２の下框２０３の屋内側見付面２０３Ａに連結されている。
【００１６】
スライドバー６６は、断面視方形状の角パイプであり、網戸６０の一方の竪框６３の屋外側の見付面６３Ａに、上下動自在に装着されており、スライドバー６６は、網戸６０の一方の竪框６３の屋内側の見付面６３Ｂに装着された操作レバー６７に連結されており、操作レバー６７による操作によって、網戸６０の竪框６３に対して上動位置と下動位置との間で移動可能となっている。スライドバー６６の屋外側の見付面６６Ａ、すなわち、障子２の屋内側の見付面に対応する面、には、鉛直方向に所定の間隔を存して複数の係合部６６０Ａ，６６０Ｂが形成されている。図示の例では、２枚の障子２にそれぞれ設けた係合受片６５に対応するような間隔で２つの係合部６６０Ａ，６６０Ｂが形成されており、一つの係合部６６０Ａは、スライドバー６６の屋外側見付面の中間部位に形成された穴部であり、もう一つの係合部６６０Ｂは、スライドバー６６の屋外側見付面６６Ａの下端部位に形成された切り欠きである。穴部は、障子２に形成された係合受片６５の外形寸法よりも大きい寸法を有している。すなわち、穴部の高さ寸法は、係合受片６５の高さ寸法よりも大きく、穴部の幅寸法は、係合受片６５の幅寸法よりも大きい。穴部である係合部６６０Ａの上縁、切り欠きである係合部６６０Ｂの上縁の上側の見付面６６Ａの裏面側に係合受片６５の垂直部６５０が入り込むことで、係合受片６５と係合部６６０Ａ，６６０Ｂは係合状態となる。
【００１７】
図３は、上下に連設された２枚の障子２によって窓開口部が閉鎖された状態で、かつ、ロック装置の解錠状態を示す。閉鎖状態では、上側の障子２の下框２０３に、下側の障子２の上框２００が接触している。操作レバー６７が下側に回動しており、この状態では、スライドバー６６は上動している。解錠状態では、図３の右図に示すように、各障子２の係合受片６５は、係合部６６０Ａ，６６０Ｂに対して下方に位置した非係合状態である。解錠状態において、窓開口部を開放したい場合には、係合受片６５と係合部６６０Ａ，６６０Ｂとは非係合状態にあるので、後述する他のロック機構が解除されていれば、操作ハンドル１５によって障子２を回動させることができる。
【００１８】
図４は、上下に連設された２枚の障子２によって窓開口部が閉鎖された状態で、かつ、ロック装置の施錠状態を示す。図３の解錠状態において、操作レバー６７を上側に回動すると、スライドバー６６は下動して、障子２の係合受片６５のＬ形状の係合部の垂直片がスライドバー６６の見付面６６Ａの内面に入り込んで係合状態となる。施錠状態において、外部からのこじ開けで、障子２を回動させようとしても、係合受片６５と係合部６６０Ａ，６６０Ｂとは係合状態にあるので、障子２の回動が規制される。
【００１９】
スライドバー６６を網戸６０の竪框６３に上下動自在に装着するものを示したが、スライドバー６６を他の部材、例えば、窓枠１の竪框３ｂに上下動自在に装着してもよい。角パイプ状のスライドバー６６を図示したが、スライドバー６６の形状は限定されない。下側が開放状の切り欠きからなる係合部６６０Ｂをスライドバー６６の下端に形成したが、障子２に対する係合受片６５の装着位置との位置関係によって、下側の係合受部を穴部として中間部位に形成してもよい。係合受片６５を障子２の下框２０３に装着するものを示したが、係合受片６５を障子２の竪框２０２に装着してもよい。スライドバー６６が下動位置にある時に施錠状態で、上動位置にある時に解錠状態となる例を示したが、施錠状態、解錠状態をその逆としてもよい。窓装置の一側にのみロック装置を設けたが、両側部にロック装置を設けても良い。一つの障子２に一つの係合受片を設けたが、一つの障子に上下に間隔を存して複数の係合受片を設けても良い。次に述べるように、本発明に係るロック装置は、複数枚の障子２を備えたすべり出し窓に適用されるが、本発明のロック装置が適用される窓装置は、すべり出し窓に限定されるものではなく、複数枚の障子２を上下に連装した窓、例えば、回動支点が固定された複数枚の障子からなるスイング窓、に広く適用される。
【００２０】
［Ｃ］窓装置としてのすべり出し窓の構成
一つの態様では、窓装置は、すべり出し窓であり、以下にすべり出し窓の構成について説明する。各障子２は、上端部を回動支点として前後方向に回動可能であると共に、回動支点は、窓枠の左右の竪枠３に沿って上下方向に移動自在に設けられた左右の開閉操作バー６を介して、上下方向に移動自在となっている。
【００２１】
各障子２は、左右の竪枠３ａ，３ｂと、各障子２の左右の両側縁部（左右の竪框２０１，２０２）との間に設けた連結機構を介して窓枠１に連結されている。連結機構は、開閉操作バー６と、第１アーム７と、第２アーム８と、ベース９と、ブラケット１０と、作動プレート１１と、を有する。ベース９は、竪枠３に固定されている。ベース９には上下に延びる長穴９０が形成されており、長穴９０の上端部は後方（屋内側）に傾斜している。
【００２２】
第１アーム７は、障子２の竪框２０１，２０２の上方部位に連結されており、第１アーム７の上端部は係合ピン７０を介して、ベース９に回動自在かつ上下スライド自在に連結されている。第１アーム７の上部に突設した係合ピン７０は、ベース９の長穴９０内にスライド自在に嵌められており、長穴９０にガイドされる。係合ピン７０がベース９の長穴９０の上端部に位置している時（図６の中央図、右図）に障子２が直立姿勢となって窓開口部が閉じられ、係合ピン７０が長穴９０の下端部に位置している時（図６の左図）に障子２が傾斜姿勢となって窓開口部が開放される。第１アーム７の下端部には、第２アーム８の上端部が回動自在に連結されている。第２アーム８の下端部は竪枠３に固定されたブラケット１０に回動自在に連結されている。
【００２３】
作動プレート１１は、開閉操作バー６における各障子２の上端部と対応する部分に、開閉操作バー６から前方（屋外側）に突出するように設けてあり、開閉操作バー６の上下動に伴って、作動プレート１１が上下動して、係合ピン７０を上下に移動させる。作動プレート１１には、長穴１１０が形成されており、長穴１１０は、垂直部と、垂直部の上端側から前方へ傾斜状に延びる傾斜部とから構成される。作動プレート１１は、ベース９と第１アーム７の上端部との間に介装されており、長穴１１０内には、係合ピン７０がスライド自在に嵌まっており、係合ピン７０は、長穴１１０にガイドされる。障子２の閉位置でロック状態にある場合（図６右図）では、係合ピン７０は長穴１１０の下端部に位置している。そして、開閉操作バー６の下動により作動プレート１１が下動しても、係合ピン７０が長穴１１０の上端に至るまでは障子２の開閉に関与することはなく、障子２は閉位置に保持される。開閉操作バー６および作動プレート１１がさらに下動すると、長穴１１０の上端の縁部に押されて係合ピン７０がベース９の長穴９０の傾斜部を下方に移動して、作動プレート１１の長穴１１０の傾斜部内を上方に移動する。係合ピン７０が、長穴９０の傾斜部を過ぎると、作動プレート１１の長穴１１０と係合ピン７０との位置関係はそのまま維持されて、ピン７０はベース９の長穴９０の垂直部内を下方に移動し、第１アーム７が係合ピン７０を中心にして前方に回動すると共に第２アーム８が下端部を中心として前方に回動し、障子２が傾動して開口部を開放する。
【００２４】
開閉操作バー６の下端部には、開閉操作バー６を上下動させる作動機構が連結されている。作動機構は、左右の開閉操作バー６に上端部が回動自在に連結されたリンク１２と、リンク１２の下端部に上端部が回動自在に連結され、下端部が回動支点となる回動アーム１３と、からなる屈伸機構である。左右の開閉操作バー６の下端部には、それぞれ作動機構が連結されており、左右の作動機構は、左右の回動アーム１３の下端部の回動支点同士を連結する回動軸１４によって連動されている。一方の作動機構には、伝達機構１５０を介して、リンク１２と回動アーム１３とからなる屈伸機構を上下に屈伸させる操作ハンドル１５が設けてある。左右の作動機構と、左右の作動機構を連動する回動軸１４と、一方の作動機構を屈伸させる操作ハンドル１５とから、障子２の開閉操作機構が構成される。操作ハンドル１５を回転することで、左右のリンク１２と回動アーム１３が屈伸することで、左右の開閉操作バー６が下動または上動する。
【００２５】
図示のすべり出し窓では、本発明に係るロック装置に加えて、４つのロック機構を有している。第１〜第３のロック機構は、障子２の左右の竪框２０１，２０２と窓枠１の左右の竪枠３ａ，３ｂとの間に設けられ、第４のロック機構は、障子１の下框２０３と窓枠１の下枠５内の回動軸１４の間に設けられる。
【００２６】
第１のロック機構について説明する。下端に位置する障子２を除いた各障子２の竪框２０１，２０２の下端部に被係合突部１６が設けてあり、開閉操作バー６には、被係合突部１６に係合する係合フック１７が揺動自在に設けてある。係合フック１７は、開閉操作バー６に回動自在に枢着されている。窓枠１の竪枠３にはカムプレート１８が固定されており、係合フック１７には、カムフォロワ１９が突設されている。カムプレート１８には、カムフォロワ１９をガイドするガイド溝１８０が形成されている。開閉操作バー６の上動により、係合ピン７０が作動プレート１１の長穴１１０内を移動する時に、係合フック１７がカムプレート１８にガイドされながら揺動して、被係合突部１６に係合してロック状態となる。開閉操作バー６の下動により係合フック１７を揺動させて被係合突部１６への係合を解除させることで、ロック状態を解除する。
【００２７】
第２のロック機構について説明する。下端部の障子２の竪框２０１，２０２の下端部には被係合片２０ａが一体形成された取付け板２０が固定されている。一方、回動アーム１３の前端縁には、被係合片２０ａに係合する係合部２１が設けてある。障子２が閉位置となり、回動アーム１３が立ち上がり姿勢となると、回動アーム１３の係合部２１が障子２の被係合片２０ａに係合することにより、障子２の閉状態が維持される。
【００２８】
第３のロック機構について説明する。障子２に装着された第１アーム７には、逆Ｌ形状の係合フック２２が形成されており、開閉操作バー６の所定位置には、窓開口部の閉鎖時に係合フック２２に係合する係合突部２３が形成されている。係合フック２２は、障子２が立ち上がり姿勢にある時に、下端が開口状で垂直方向に延びる係合溝２２０を形成しており、閉鎖時に、開閉操作バー６が上動して、係合ピン７０が作動プレート１１の長穴１１０の垂直部の上に位置した時には、障子２は垂直姿勢にあり、この状態で、係合フック２２の係合溝は係合突部２３の直上に位置している（図６中央図）。この状態からさらに、開閉操作バー６が上動することで、開閉操作バー６に設けた係合突部２３が上動して、係合フック２２の係合溝２２０に係合してロック状態となる。開放時には、先ず、障子２が直立姿勢を維持した状態で、開閉操作バー６が下動して、係合フック２２の係合溝２２０と係合突部２３の係合状態が解除され（図６中央図）、さらに、開閉操作バー６が下動すると、障子２が傾動を開始して、窓開口部を開放する（図６左図）。
【００２９】
第４のロック機構について説明する。障子２の下框２０３の下面には、被係合部２４１が設けてある。被係合部２４１は、下枠５（回動軸１４）の長さ方向に延出する長手部である。回動軸１４には、回動軸１４の長さ方向に延出するフック状の係合片２５が装着されている。係合片２５は、障子２の閉位置において、係合片２５が、障子２の下框２０３の下面に設けた被係合部２４１に係合し、障子２の開位置では、係合片２５が、被係合部２４１との係合状態が外れるように配設されている。図６の中央図の状態では、障子２は閉位置にあるが、回動軸１４に設けた係合片２５と被係合部２４１とは離間した非係合状態であり、その状態からさらに操作ハンドル１５を回転させて、回動軸１４を回転させることで、回動軸１４に設けた係合片２５が被係合部２４１に係合する。
【００３０】
上記実施例においては、すべり出し窓について説明したが、複数枚の障子を備えた他の窓装置にも適用することができる。また、すべり出し窓においても、障子２と窓枠１との間に設けた連結機構、作動機構、開閉操作機構は、実施例のものに限定されず、他の構成を有していてもよい。
【００３１】
上述の窓装置のロック装置の実施形態では、窓開口部を形成する窓枠１と、窓枠１に設けられ、窓開口部を開閉する複数の障子２と、からなる窓装置において、複数の障子２は、上下に連設されており、各障子２の幅方向端部には、同一鉛直線上に位置させて係合受片６５が設けてあり、窓開口部の屋内側には、上下（鉛直方向）に所定の間隔を存して複数の係合部６６０Ａ，６６０Ｂが形成された上下動自在（鉛直方向に移動自在）のスライドバー６６が設けてあり、スライドバー６６の上下動（鉛直方向の移動）によって、各障子２の係合受片６５に、スライドバー６６の各係合部６６０Ａ，６６０Ｂが同時に係合する。図示しない他の実施形態では、窓開口部を形成する窓枠と、窓枠に設けられ、窓開口部を開閉する複数の障子と、からなる窓装置において、複数の障子は、左右に連設されており、各障子には、同一水平線上に位置させて係合受片が設けてあり、窓開口部の屋内側には、水平方向上下に所定の間隔を存して複数の係合部が形成された水平方向に移動自在のスライドバーが設けてあり、スライドバーの水平方向の移動によって、各障子の係合受片に、スライドバー６６の各係合部が同時に係合する。
【産業上の利用可能性】
【００３２】
本発明は、複数の障子を備えた窓装置のロック機構として利用することができる。
【図面の簡単な説明】
【００３３】
【図１】窓装置の正面図であり、網戸は省略されている。
【図２】窓装置の横断面図である。
【図３】窓装置の縦断面図であり、ロック装置が解錠状態にある場合を示す。
【図４】窓装置の縦断面図、ロック装置が施錠状態にある場合を示す。
【図５】障子が開状態にある時の障子と窓枠との連結機構の側面図である。
【図６】障子と窓枠との連結機構の側面図であり、左図は実質的に図５に対応し（障子の下框が省略されている点）、中央図は障子が閉位置かつ非ロック状態にある場合を示し、右図は障子が閉位置かつロック状態にある場合を示す。
【符号の説明】
【００３４】
１  窓枠
２  障子
６５  係合受片
６６  スライドバー
６６０Ａ  係合部
６６０Ｂ  係合部
６７  操作レバー
【図１】
2007063825.tif 000003
【図２】
2007063825.tif 000004
【図３】
2007063825.tif 000005
【図４】
2007063825.tif 000006
【図５】
2007063825.tif 000007
【図６】
2007063825.tif 000008